(57)【要約】【課題】【技術分野】箸の出し入れが容易であり、且つ洗濯が容易にできる携帯箸ケースとすること。【解決手段】軟質性の材質からなり略長方形状で且つ長手方向に沿って出し入れ口１１が形成された収納部１と、該収納部１の平面形状と略同一の長方形状で前記出し入れ口１１箇所に連続して形成された蓋部２と、前記収納部１又は蓋部２のいずれか一方側で且つ長手方向両側角部箇所に形成される被挿入部３と、他方側の長手方向両側の角部箇所に形成される挿入部４とからなること。該挿入部４は前記被挿入部３に挿入自在とすること。【選択図】図１
0003139881.tif 000002
【実用新案登録請求の範囲】
【請求項１】
軟質性の材質からなり略長方形状で且つ長手方向に沿って出し入れ口が形成された収納部と、該収納部の平面形状と略同一の長方形状で前記出し入れ口箇所に連続して形成された蓋部と、前記収納部又は蓋部のいずれか一方側で且つ長手方向両側角部箇所に形成される被挿入部と、他方側の長手方向両側の角部箇所に形成される挿入部とからなり、該挿入部は前記被挿入部に挿入自在としてなることを特徴とする携帯箸ケース。
【請求項２】
請求項１において、前記被挿入部は、前記ひも状材が隣り合う両辺に亘って張り渡されると共に、該ひも状材の両端箇所のみが前記角部に固着されてなることを特徴とする携帯箸ケース。
【請求項３】
請求項１において、前記被挿入部は、三角状生地材が前記角部箇所に配置され、該三角状生地材の斜辺箇所を除く周縁箇所が前記角部に固着されてなることを特徴とする携帯箸ケース。
【請求項４】
請求項１において、前記被挿入部は、前記角部の隣り合う両辺付近に亘って傾斜状に形成された筋状切抜き孔としてなることを特徴とする携帯箸ケース。
【請求項５】
請求項１，２又は３のいずれか１項の記載において、前記被挿入部は、収納部又は蓋部のいずれか一方側の角部に装着され、且つ被挿入凹部を有する支持部材とし、前記挿入部は、他方側の角部に固着される略三角形状の挿入板部材とし、該挿入板部材は前記被挿入凹部に挿入自在としてなることを特徴とする携帯箸ケース。
【考案の詳細な説明】
【技術分野】
【０００１】
本考案は、箸の出し入れが容易であって、且つ洗濯が容易にできる携帯箸ケースに関する。
【背景技術】
【０００２】
近年、外食時において環境保護の目的などから、割り箸を使用することが減少しつつあり、この割り箸に代わって、個人の専用の箸を携帯することが増えている。この箸を携帯するために、種々のケースが存在している。具体的には特許文献１に開示されているように、その多くは、ハードケースのものが多い。
【特許文献１】特開２００４−５７７２３
【考案の開示】
【考案が解決しようとする課題】
【０００３】
上記特許文献１では、箸の収納容積が必要以上に大きくなることが多い。さらにハードケースの場合では、その大きさ（体積）を小さくすることができないし、内部に収納した箸は動いてしまい、携帯時にカタカタと音がすることがあり、不快感を与える。本考案が解決しようとする課題（技術的課題又は目的）は、携帯時にケースの大きさをさらに小さくし易く、且つ小さなバッグや上着のポケット等に収納し易い携帯箸ケースを提供することにある。
【課題を解決するための手段】
【０００４】
そこで、考案者は、上記課題を解決すべく、鋭意，研究を重ねた結果、請求項１の考案を、軟質性の材質からなり略長方形状で且つ長手方向に沿って出し入れ口が形成された収納部と、該収納部の平面形状と略同一の長方形状で前記出し入れ口箇所に連続して形成された蓋部と、前記収納部又は蓋部のいずれか一方側で且つ長手方向両側角部箇所に形成される被挿入部と、他方側の長手方向両側の角部箇所に形成される挿入部とからなり、該挿入部は前記被挿入部に挿入自在としてなる携帯箸ケースとしたことにより、上記課題を解決した。
【０００５】
請求項２の考案を、前述の構成において、前記被挿入部は、前記ひも状材が隣り合う両辺に亘って張り渡されると共に、該ひも状材の両端箇所のみが前記角部に固着されてなる携帯箸ケースとしたことにより、上記課題を解決した。請求項３の考案を、前述の構成において、前記被挿入部は、三角状生地材が前記角部箇所に配置され、三角状生地材の斜辺箇所を除く周縁箇所が前記角部に固着されてなる携帯箸ケースとしたことにより、上記課題を解決した。
【０００６】
請求項４の考案を、前述の構成において、前記被挿入部は、前記角部の隣り合う両辺付近に亘って傾斜状に形成された筋状切抜き孔としてなる携帯箸ケースとしたことにより、上記課題を解決した。請求項５の考案を、前述の構成において、前記被挿入部は、収納部又は蓋部のいずれか一方側の角部に装着され、且つ被挿入凹部を有する支持部材とし、前記挿入部は、他方側の角部に固着される略三角形状の挿入板部材とし、該挿入板部材は前記被挿入凹部に挿入自在としてなる携帯箸ケースとしたことにより、上記課題を解決したものである。
【考案の効果】
【０００７】
請求項１の考案によって、収納部は、軟質性の素材からなり略長方形状で且つ長手方向に沿って出し入れ口が形成されているので、該出し入れ口は比較的広い開口となり、箸の出し入れが行い易くできるものである。収納部と蓋部には被挿入部と挿入部とからなるファスナー部を設けたので、収納部に対して蓋部を閉じた状態を維持させることができ、箸の収納状態を清潔に維持することができる。
【０００８】
また、収納部及び蓋部は軟質性であるために、箸を収納しないときには、さらに小さく折り畳むことができる。さらに前記収納部に箸が収納された状態でも、収納部における箸収納部分（すなわち、箸の収納領域）以外の部分を折り曲げてその収納部や蓋部の平面形状をさらに小さくまとめることができ、コンパクトにすることができる。またこのように、箸を収納部に収納したままの状態で、コンパクトにまとめることで、収納された箸が収納部内にて動き回ることがなく、箸同士が当たってカタカタと鳴る騒音の発生を防止することができる。
【０００９】
請求項２の考案によって、前記ファスナー部は、前記蓋部の内面側長手方向の両側の角部箇所に、前記袋部の長手方向両角部が挿入される被挿入部としたことにより、収納部に対して蓋部を閉じる作業が極めて簡単にでき、収納部からの箸の出し入れを極めて容易に行うことができる。
【００１０】
請求項３の考案によって、前記被挿入部は、三角状生地材が前記角部箇所に配置され、該三角状生地材の斜辺箇所を除く周縁箇所が前記角部に固着されているので、三角状生地材にて被挿入部が構成されており、前記挿入部は三角状生地材に被覆状態で挿入しているので、挿入部が被挿入部から外れ難い構造にでき、収納した箸が収納部から抜け落ち難いものにすることができる。
【００１１】
請求項４の考案によって、前記被挿入部は、前記角部の隣り合う両辺付近に亘って傾斜状に形成された筋状切抜き孔としたので、被挿入部は極めて簡単な形状にでき、略ボタンホール形状とすることができ、製造性が極めて良好にできるものである。請求項５の考案によって、前記被挿入部は、収納部又は蓋部のいずれか一方側の角部に装着され、且つ被挿入凹部を有する支持部材とし、前記挿入部は、他方側の角部に固着される略三角形状の挿入板部材としたことにより、挿入部が被挿入部に挿入し易く、且つ安定した挿入状態にすることができる。
【考案を実施するための最良の形態】
【００１２】
以下、本考案の実施形態を図面に基づいて説明する。本考案の構成は、収納部１と、蓋部２と、ファスナー部（被挿入部３，挿入部４）とから構成される。本考案では、前記ファスナー部（被挿入部３，挿入部４）の構造によって、複数の実施形態が存在する。その第１実施形態，第２実施形態及び第３実施形態は、前記収納部１，蓋部２については、略同等の構造であり、軟質性の素材から形成されている。前記収納部１は、図１（Ａ）,（Ｂ）に示すように、平面形状が略長方形状に形成され、袋形状になっている。
【００１３】
該収納部１は、２つ略長方形の生地片ｍ，ｍが重ねられた状態で組み合わさって、略長方形の袋体を形成し、箸５を収納することができるサイズに形成されている。さらに、長方形状とした収納部１の長手方向（長辺方向）に沿って出し入れ口１１が形成され、該出し入れ口１１から内部側が収納スペース１２となっている〔図１（Ａ），（Ｃ）及び図２参照〕。収納部１は、具体的には、長方形状に形成された収納部１の一つの長辺箇所を、出し入れ口１１として開口形成されたものである〔図１（Ｃ）,図２（Ｃ）参照〕。
【００１４】
蓋部２は、前記収納部１と、平面形状が略同一形状に形成されたものであり、該収納部１の前記出し入れ口１１箇所に、前記蓋部２が連続的に形成されている。具体的には、前記蓋部２は、前記収納部１を構成するいずれか一方の前記生地片ｍが連続することによって形成されるものである。前記蓋部２は、前記収納部１の出し入れ口１１箇所又はその付近を折り曲げ箇所として、前記収納部１と蓋部２とを折り曲げ自在となっており、前記収納部１と前記蓋部２とを折り畳むことによって、前記蓋部２が前記出し入れ口１１を塞ぐことができる〔図２（Ｂ）参照〕。
【００１５】
前記収納部１及び蓋部２は、軟質材から形成され、自由に折り畳みができるようになっており、その材質としては布材，合成樹脂或いは紙材等により形成されている。そして、材質として合成樹脂による化学繊維が使用され、具体的にはナイロン，ポリエステル等の化学繊維が使用される。また、繊維材質として、植物性のものが使用されることが好ましく、具体的には竹繊維等が使用される。いずれの材質も、折り畳みが自由にできるものである。また、紙製の材質としては、防水性が施され、洗濯可能なものが好ましい。
【００１６】
前記収納部１及び蓋部２は合成樹脂製とすることにより、耐久性及び耐水性が有り、何回でも洗浄が可能で衛生的に維持することができるものである。また、使用後の箸５を収納部１に収納しても、箸５の汚れが収納部１内にしみついたり、色が付いたりすることがなく清潔に維持することができる。また、前記収納部１及び蓋部２を布製とすることにより、縫製が行い易く、比較的低価格にて提供することができる。
【００１７】
次にファスナー部は、被挿入部３と挿入部４とから構成されるものであり、前述したように複数の実施形態が存在するものであり、その第１実施形態は、図１,図２に示すように、前記蓋部２の内面側で且つその長手方向の両側の角部に、前記蓋部２の長手方向両角部が挿入自在となる被挿入部３が形成されたものである。該被挿入部３は、前記蓋部２において、前記収納部１と連続しない側の長辺の両側の角部２ｃ，２ｃ箇所に略傾斜状に形成されたものである〔図１（Ａ），（Ｂ）参照〕。具体的には平帯,ひも或いは糸等のひも状材３１を使用することによって構成されている。
【００１８】
該ひも状材３１は、図１（Ａ）,（Ｂ）及び（Ｄ）に示すように、前記蓋部２の長手方向の両角部２ｃ，２ｃ箇所に略傾斜状に配置されたものであり、該角部２ｃにおいて隣り合う両辺に前記ひも状材３１の両端が前記角部２ｃの縁に縫い付けられている〔図１（Ｄ）参照〕。前記ひも状材３１の両端を除く中間部は、前記蓋部２から分離された構造となり、この分離部分が被挿入部３における被挿入箇所となる。
【００１９】
前記収納部１と前記蓋部２とがこれらの境目を折り目として２つ折に折り畳まれた状態で収納部１の長手方向両角部１ｃ，１ｃは、挿入部４，４として使用され、該挿入部４が前記ひも状材３１によって構成された被挿入部３に挿入され、前記収納部１に対して前記蓋部２が閉じ状態とし、この閉じ状態を維持することができる（図３参照）。すなわち、第１実施形態では、収納部１の角部１ｃ，１ｃが挿入部４，４となる。また、前記被挿入部３は、前記蓋部２に形成されたものであるが、前記被挿入部３を収納部１の長手方向両角部１ｃ，１ｃに形成し、前記蓋部２の長手方向両角部２ｃ，２ｃを挿入部４として、前記被挿入部３に挿入する構成としてもよい。
【００２０】
ファスナー部の第２実施形態としては、前記被挿入部３は、図４（Ａ）に示すように、前記蓋部２の長手方向の両角部２ｃ，２ｃ箇所に略三角形状の三角状生地材３２が使用され、該三角状生地材３２の傾斜辺部分を除く他の周囲が蓋部２の長手方向両側の両角部２ｃ，２ｃ箇所に縫い付けられるものである。この三角状生地材３２によって、三角ポケット状の被挿入部３が形成され、前記収納部１の長手方向の両角部１ｃ，１ｃを挿入部４として、前記被挿入部３に挿入することができる構成となる。
【００２１】
ファスナー部の第３実施形態は、図４（Ｂ）に示すように、被挿入部３が前記蓋部２の長手方向の両側角部２ｃ，２ｃに傾斜状に形成された筋状切抜き孔３３として貫通孔状に構成されたものである。前記収納部１は、長手方向両角部１ｃ，１ｃを挿入部４として、前記筋状切抜き孔３３とした被挿入部３に挿入される構成としたものである。前記筋状切抜き孔３３は、略ボタンホール形状の孔であり、周囲に補強縫いが施されることが好ましい。
【００２２】
ファスナー部の第４実施形態としては、図５に示すように、前記被挿入部３は、支持部材３４が使用されることによって構成される。該支持部材３４は、平面的に見て略三角形状に形成されており、窪み形状の被挿入凹部３４ａが形成されている。前記支持部材３４は、プラスチック等の合成樹脂にて形成されたものである。前記支持部材３４には縫付け用ベース３４ｂが形成され、該縫付け用ベース３４ｂが前記収納部１の長手方向両角部１ｃ，１ｃに縫い付けられている。具体的には、支持部材３４の縫付け用ベース３４ｂのみが収納部１の内部に埋め込まれて、収納部１を構成する生地片ｍに縫い付けられている〔図５（Ｃ），（Ｄ）参照〕。また、挿入部４は、略三角形状の挿入板部材４１としたものであり、前記蓋部２の長手方向両角部２ｃ，２ｃに縫い付けられて固着される〔図５（Ａ），（Ｂ）参照〕
【００２３】
前記挿入板部材４１は、プラスチック等の合成樹脂、肉厚の厚い硬めの革材又は（防水性のある）厚紙等にて形成されたものであって、前記被挿入凹部３４ａに挿入することができるようになっている。前記支持部材３４は、前記収納部１の長手方向の両角部１ｃ，１ｃ箇所に固着される〔図５（Ａ）参照〕。また、挿入板部材４１は、前記蓋部２の長手方向の両角部２ｃ，２ｃに固着され、収納部１に対して蓋部２を折り曲げた状態で、挿入板部材４１を被挿入凹部３４ａに挿入することによって、蓋部２の閉じ状態にすることができる〔図５（Ｄ）参照〕。本考案の携帯箸ケースは、通常は箸のみを携帯するためのケースとして使用されるものであるが、その他にの用途として弁当箱，ランチボックス等の箸ケースとして使用してもかまわない。
【図面の簡単な説明】
【００２４】
【図１】（Ａ）は第１実施形態のファスナー部を有する本考案の収納部と蓋部とを開いた状態の斜視図、（Ｂ）は第１実施形態のファスナー部を有する本考案の収納部と蓋部とを開いた状態の平面図、（Ｃ）は（Ｂ）のＸａ−Ｘａ矢視拡大断面略示図、（Ｄ）は（Ａ）の（ア）部拡大図である。
【図２】（Ａ）は第１実施形態のファスナー部を有する本考案の収納部に箸を収納しようとする状態の斜視図、（Ｂ）は箸を収納した収納部の一部切除した平面図、（Ｃ）は蓋部を開いた状態の縦断側面拡大略示図、（Ｄ）は蓋部を閉じた状態の縦断側面拡大略示図である。
【図３】（Ａ）は第１実施形態のファスナー部を有する本考案の蓋部を閉じた状態の斜視図、（Ｂ）は（Ａ）の（イ）部拡大図である。
【図４】（Ａ）はファスナー部の第２実施形態における被挿入部の拡大斜視図、（Ｂ）はファスナー部の第３実施形態における被挿入部の拡大斜視図である。
【図５】（Ａ）はファスナー部の第４実施形態を有する本考案の収納部と蓋部とを開いた状態の平面図、（Ｂ）は挿入部の要部拡大斜視図、（Ｃ）は被挿入部の要部拡大斜視図、（Ｄ）は（Ｃ）のＸｂ−Ｘｂ矢視において被挿入部に挿入部を挿入した断面図である。
【符号の説明】
【００２５】
１１…出し入れ口、１…収納部、２…蓋部、３…被挿入部、３１…ひも状材、
３２…三角状生地材、３３…筋状切抜き孔、３４…支持部材、３４ａ…被挿入凹部、
４…挿入部、４１…挿入板部材、１ｃ，２ｃ…角部。
【図１】
0003139881.tif 000003
【図２】
0003139881.tif 000004
【図３】
0003139881.tif 000005
【図４】
0003139881.tif 000006
【図５】
0003139881.tif 000007